(57)【要約】    【課題】  耳介の血行を図ると共に、一度に多数の耳ツボを刺激することができ、人目を気にせず、長時間の使用を可能とする耳介健康器具を提供することを目的とする。    【解決手段】  ヘッドホン型の耳介健康器具であって、開環した可撓性の頭部装着部材と頭部装着部材の両端部に固定された半球状の耳介当接部材からなり、この耳介当接部材を突起を有する部材又は磁石を取り付けた部材、さらに磁石を取り付けた突起を有する部材で形成するのである。また、耳介当接部を着脱自在とし、それぞれの当接部と交換可能、或は新品と交換可能とするのである。    【選択図】  図１
0003116337.tif 000002
【実用新案登録請求の範囲】
【請求項１】
頭部装着部と半球状の耳介当接部から構成され、
耳介当接部が表面に多数の突起を有する、或は多数の磁石を埋め込んだ、或は多数の突起を有し、且つ、磁石を埋め込んだことを特徴とするヘッドホン型耳介健康器具。
【請求項２】
頭部装着部と半球状の耳介当接部から構成され、
耳介当接部にゲルマニウム又はトルマリンを含有することを特徴とするヘッドホン型耳介健康器具。
【請求項３】
頭部装着部と着脱自在な半球状の耳介当接部から構成された請求項１又は２記載のヘッドホン型耳介健康器具。
【考案の詳細な説明】
【技術分野】
【０００１】
本考案は耳に装着して血行を良くすると共に、耳介に分布する多数の耳ツボを刺激する、東洋医学を利用した健康増進器具に関する。
【背景技術】
【０００２】
【特許文献１】特開２００５−６９１９
【特許文献２】特開平６−１５４２８２
【特許文献３】特開２００４−７３４０８
【考案の開示】
【考案が解決しようとする課題】
【０００３】
耳ツボを刺激して諸症状の治癒、改善を図る健康器具として、耳介に装着する固定部と固定部から延長した耳ツボ刺激部を有する耳ツボ健康器がある。（特許文献１参照）
又、耳たぶを挟んで耳たぶ裏面に当接し、耳ツボを電気的に刺激する電流源を有するイヤリングがある。（特許文献２参照）
また、開環した可撓性を有するリング部材とリング部材の両端部に固定されたパッド部材からなる側頭部押圧器具がある。（特許文献３参照）
耳は身体の各部に絡脈し、身体全体に分散しているツボの殆ど全てが耳のツボ点に表れる。そこで、耳ツボを刺激することで疾患部を徐々に改善し、健康増進を図ることができる。耳ツボを刺激する方法の一つとして、東洋医学の耳針療がある。これは耳ツボに刺針し、耳に分布する多くのツボを刺激するものであるが、専門的なため鍼灸治療院に通院し、正しい圧刺激を与える必要があり、経済的、時間的な負担が大きい。そこで簡単に常時耳ツボを刺激することを目的として種々の健康器具が考案されてきた。特許文献１及び２記載の発明はそれぞれ、押圧刺激、電気刺激により耳のツボを刺激するものであるが、一度に刺激できる耳ツボの数は限られており、多数存在する耳ツボを同時に刺激するようには構成されていない。
【０００４】
又、特許文献３記載の発明はヘッドホン型の形状を呈しているが、耳ツボを刺激するものではなく、こめかみを押圧して頭痛の緩和を図ることを目的とするものである。
【０００５】
そこで、本考案では耳介の血行を図ると共に、一度に多数の耳ツボを刺激する、ヘッドホン型耳介健康器具を提供することを目的とする。
【課題を解決するための手段】
【０００６】
請求項１に記載した考案は、ヘッドホン型の耳介健康器具であって、開環した可撓性のリング部材とリング部材の両端部に固定された耳介当接部材からなり、この耳介当接部材を突起を有する部材或は、磁石を取り付けた部材、さらに磁石を取り付けた突起を有する部材で形成するのである。
【０００７】
請求項２に記載した考案は、ヘッドホン型の耳介健康器具であって、開環した可撓性のリング部材とリング部材の両端部に固定された耳介当接部材からなり、この耳介当接部材にトルマリン又はゲルマニウムを含有させるのである。
【０００８】
請求項３に記載した考案は、耳介当接部を取り外し自在に形成し、突起を有する当接部、磁石を取り付けた当接部及び突起と磁石の両方を取り付けた当接部の相互の取り替えを自在とするのである。また、トルマリンを含有した耳介当接部とゲルマニウムを含有させた当接部を交換自在とするのである。
【考案の効果】
【０００９】
１、複数の耳ツボを同時に長時間刺激できるため治療効果を高めることが可能である。
２、軽量で着脱が容易であり、またヘッドホン型なので外観上一見して耳介健康器具とは感知されず、外出時でも気軽に装着できる。また、両手が塞がれることがないので、装着したままでも行動の自由が妨げられることがない。
３、耳介当接部が脱着可能なため、突起による刺激と磁気による刺激を適宜選択自由である。また、磁石を取り付け、さらに突起物を有する耳介当接部を装着すると、磁気でツボの血行を良くすると共に、突起物による耳ツボへの刺激が加わり、より効果を高めることができる。
４、トルマリンが、摩擦や体温によってマイナスイオンを発生させ、また遠赤外線を放出するため、病気の回復、予防、リラックス効果、温熱効果を奏する。
５、ゲルマニウムが生体電流のバランスを整え、体調を改善させる。  
６、トルマリンを含有させた耳介当接部とゲルマニウムを含有させた耳介当接部が交換自在である。
７、耳介当接部が頭部装着本体から着脱自在であるため、汚れや破損が生じやすい耳介当接部だけを新品に交換することが容易であり、経済的且つ、衛生的である。
【考案を実施するための最良の形態】
【００１０】
以下に、本考案による耳介健康器具の実施形態について図面を参照しながら詳細に説明する。
【００１１】
図１は本願考案にかかるヘッドホン型耳介健康器具１の正面図である。耳介健康器具１は可撓性を有する、開環したリング部材２と、両端部に固定された耳介当接部３−３から構成される。リング部材２は両端を手でもって広げ、離すと元に戻る程度の弾性力を有する弾性素材で形成する。例えば、アクリルやポロプロピレン等の合成樹脂材製或はアルミ合金等の金属製である。
【００１２】
リング部材２の断面は円、楕円、多角形等の様々な形状の棒状体である。
【００１３】
耳介当接部３−３は対向する位置にある、半球状の合成樹脂材製或はゴム製のパッドであって表面に多数の突起４が放射状に形成されている。
【００１４】
耳介当接部３のリング部材２への固定手段は、図３のａ、ｂに示すように、ネジ部１１ａ、１２ａを設けて本体１０へネジ着し、或は突起１４ａ、１５ａを設けて、リング部材本体１３に設けた凹部へ嵌着する方法がある。また、本体１０と耳介当接部３を固定しても良いし、耳介当接部の角度が替えられるように、本体へ傾倒自在に取り付けても良い。
【００１５】
耳介当接部を磁気式にすることも可能である。図２に示すように一対の管状部材６−６の一端部６ａ−６ａに棒状部材７を緩挿して頭部の大きさに応じて本体を伸縮自在とし、さらに管状部材６−６の他端６ｂに、耳介当接部８−８を取り付ける。取り付け手段は前述のとおり、ネジ止め或は耳介当接部８に設けた突起を管状部材６に嵌合する方法がある。耳介当接部８−８は耳の穴に嵌合しやすいようなド−ム型或は半球型を呈する、合成樹脂材製或はゴム製のパッドであって、多数の磁石９が嵌め込まれている。磁石９を埋め込んだ本願ヘッドホン型耳介健康器具５を耳に装着すると、磁気により身体の血行が良好となるのである。
【００１６】
また、請求項３に記載したように、それぞれの耳介当接部が交換可能である。同じ取り付け手段を有する部材であれば、図３のａ、ｂに示すように、当該当接部１２、１５を本体１０、１３から取り外して、他の耳介当接部１１、１４に簡単に取り替えることができるのである。また、皮膚に直接触れる部分であるため、汚れや破損が生じた時でも、耳介当接部だけを取り外して容易に新品と交換可能であり、経済的且つ、衛生的である。
【００１７】
また、一の大きな磁石（図示せず）或は複数の磁石粒１９を埋め込み、さらに表面に多数の突起１８を有する耳介当接部１７（図４）をリング部材１６に取り付けると、磁気により身体の血行が良好になると共に耳ツボを突起が刺激し、症状改善、健康増進にさらに大きな効果が期待できるのである。この時、磁石粒１９は肌に直接触れていなくても作用する。リング部材１６へ耳介当接部１７を固着しても良いし、また、角度を変えられるように傾倒自在に取り付けることも可能である。
【００１８】
さらに、請求項３に記載した耳介健康器具は図４に示すように、耳介当接部が着脱自在であるため、それぞれの当接部と交換自在である。リング部材１６への取り付け手段２０ａ、２１ｂが同形状であれば、突起を有する耳介当接部２０、磁石粒を埋め込んだ耳介当接部２１、磁石粒と突起の両方を備えた耳介当接部１７のいずれとも容易に交換可能である。
【００１９】
図５に示すのは請求項２に記載したヘッドホン型耳介健康器具の一部正面図である。耳介健康器具は可撓性を有する、開環したリング部材２２と、両端部に取り付けられた耳介当接部２３から構成される。リング部材２２はアクリルやポロプロピレン等の合成樹脂材製或はアルミ合金等の金属製から成る弾性力を有する弾性素材である点は請求項１記載のリング部材と同様である。
【００２０】
リング部材２２の断面は円、楕円、多角形等の様々な形状の棒状体である。
【００２１】
耳介当接部２３は対向する位置にある、半球状の合成樹脂材製或はゴム製のパッドであってリング部材２２へのネジ式の取り付け手段２３ａを有する。
【００２２】
耳介当接部２３はゲルマニウム粒又はゲルマニウム微粒子を含有している。人間には微弱な電流が流れており、プラスマイナスのバランスが崩れると体調不良を引き起こす。ゲルマニウムには生体電流を整える力があり、パッドそのものによる耳ツボ刺激と共に、ゲルマニウムによる体調改善効果を奏するのである。
【００２３】
一方、耳介当接部２５は同様のネジ式の取り付け手段２５ａを有し、耳に触れる部分にはトルマリン微粒子２６が含まれている。トルマリンは圧力や摩擦、体温によってマイナスイオンを発生させ、又、遠赤外線を放出するため、病気の回復、予防、リラックス効果及び温熱効果を奏するのである。
【００２４】
リング部材への取り付け手段は上述のネジ式或は耳介当接部に設けた凸部をリング部材の凹部へ嵌合する方法もある。
【００２５】
耳介当接部２３、２５は固定式でもよいが、請求項３記載の考案のように耳介当接部を交換可能とすると、使用時の健康状態、或は症状に合わせて耳介当接部をトルマリン含有或はゲルマニウム含有のものにするか自由に選択できる。
【００２６】
また、請求項２に記載したトルマリンやゲルマニウムを含有するパッドの表面に突起を多数設けることで、トルマリンやゲルマニウム自体が生じさせる効果に加えて、突起が耳介に点在する多数の耳ツボを刺激し、更なる健康増進効果が期待できるのである。
【産業上の利用可能性】
【００２７】
本考案は耳介ヘ装着し、血行を図り、耳ツボを刺激して身体の諸症状を改善し、健康増進を図る健康器具に利用することができる。
【図面の簡単な説明】
【００２８】
【図１】請求項１記載の耳介健康器具の正面図。
【図２】同、耳介当接部を磁気性に交換した状態を示す説明図。
【図３】ａ  ネジ式の耳介当接部の交換状況を説明する説明図。              ｂ  嵌合式の耳介当接部の交換状況を説明する説明図。
【図４】耳介当接部を交換する状態を示す説明図。
【図５】耳介当接部が交換可能な請求項２記載の耳介健康器具の説明図。
【符号の説明】
【００２９】
１、５、ヘッドホン型耳介健康器具    ２、１６、２２、リング部材    ３、８、１１、１２、１４、１５、１７、２０、２１、２３、２５、耳介当接部    ４、突起    ６、管状部材    ９、磁石    ７、棒状部材  ２４、ゲルマニウム粒    ２６、トルマリン粒子
【図１】
0003116337.tif 000003
【図２】
0003116337.tif 000004
【図３】
0003116337.tif 000005
【図４】
0003116337.tif 000006
【図５】
0003116337.tif 000007